Podtech/llm-jp-corpus-v4-ja_patent huggingface dataset:
(57)【要約】      （修正有）【課題】事件事故に遭遇した際、防犯グッズを探すことなく即（素早く）利用（使用）を可能にし周囲に知らしめ犯罪防止し、子供の事件、事故を減少させ危険から守る防犯ブザーを提供する。【解決手段】腕時計本体１に防犯ブザーを組込み通常防犯ブザーと察知されない様、腕時計として持っているムーブメントのアラーム機能とは別に単独で駆動する防犯ブザーを備え事件事故に遭遇した場合、新設したブザーＳＷ２を素早く加害者に知られずに数秒押し１２０〜１３０ｄＢ／ｍの音量で周囲に知らせる。防犯ブザーを備え付け一体化した腕時計とすることにより万が一事件事故に遭遇した場合即使用可能にしたものである。身の安全が確認された場合に再度ブザーＳＷ２を数秒押すことによりブザー機能が停止し通常の腕時計として使用する。【選択図】図１
0003154233.tif 000002
【実用新案登録請求の範囲】
【請求項１】
デジタルムーブメントを有する腕時計に防犯ブザーの機能を持たせた腕時計型防犯機器で機能として持っているアラーム機能とは別に単独で駆動（機能）する腕時計一体型防犯ブザー機器。
【請求項２】
防犯ブザー専用ボタン（ＳＷ）を数秒押す事で防犯ブザーの機能に電気的信号が入りブザー音を発し周囲に知らせる腕時計一体型防犯ブザー機器。
【請求項３】
防犯ブザー専用ボタン（ＳＷ）を数秒押す毎にスイッチがＯＮ，ＯＦＦ（入、切）切替わり電気的信号が切替り（解除され）防犯ブザーの鳴動部が停止する腕時計一体型防犯ブザー機器。
【請求項４】
通常デジタル式ムーブメントの腕時計として（カモフラージュ）使用するも緊急時において１２０〜１３０ｄＢ／ｍの音量で防犯ブザー音を鳴らし周囲に危険を知らせる腕時計一体型防犯ブザー機器。
【請求項５】
デジタルムーブメントの腕時計の機能として備えているアラーム機能を改良し１２０〜１３０ｄＢ／ｍの音量を鳴らし災害時において周囲に危険を知らしめる腕時計一体型防犯ブザー機器。
【考案の詳細な説明】
【技術分野】
【０００１】  デジタルムーブメントを有する腕時計に防犯ブザーの機能を持たせた腕時計一体型防犯機器である。
【背景技術】
【０００２】  デジタル腕時計として持っているムーブメントにアラーム機能が付いているものの防犯ブザー機能は付いていない。
防犯ブザーとして単独で市販されているがあまり機能（活躍）していない。
【考案の概要】
【考案が解決しようとする課題】
【０００３】  事件事故に遭遇した際に防犯グッズを探すことなく即（素早く）利用（使用）を可能にするものである。
【課題を解決するための手段】
【０００４】  腕時計として持っているムーブメントのアラーム機能とは別に単独で駆動（機能）する防犯ブザー機器（機能）を備え付け一体化した腕時計とすることにより万が一事件に遭遇した場合即使用可能にしたものである。（またはアラーム機能を改造し使用する）
【考案の効果】
【０００５】  いつでも自然な形（腕時計として）で防犯グッズを身に付けることが出来（不自然さがない為気付かれない）「ここぞっ」という時に即効果を発揮できる効果を持つ。
【図面の簡単な説明】
【０００６】
【図１】  腕時計一体型防犯ブザー機器  正面図である。
【図２】  腕時計一体型防犯ブザー機器  側面図である。
【考案を実施するための形態】
【０００７】  本考案は腕時計本体１に防犯ブザー４を組込み通常防犯ブザーと察知されない様開発、腕時計として持っているムーブメントのアラーム機能とは別に単独で駆動（機能）する防犯ブザー４を備え事件事故に遭遇した場合、ブザー専用ＳＷ（ボタン）２を素早く加害者に知られずに数秒（２〜３秒）押（ＯＮ）し１２０〜１３０ｄＢ／ｍの音量で周囲に知らせる。
防犯ブザー４を備え付け一体化した腕時計とすることにより万が一事件事故に遭遇した場合即使用可能にしたものである。
身の安全が確認された場合にはブザー専用ＳＷ（ボタン）２を数秒（２〜３秒）押（ＯＮ）することによりブザー機能が停止し通常の腕時計として使用するものである。
【実施例】
【０００８】  １は腕時計本体（デジタルムーブメント機能）【０００９】  ２は防犯ブザー機能ＳＷ（スイッチ）【００１０】  ３は腕時計ベルト【００１１】  ４は防犯ブザー機能収納部
【符号の説明】
【００１２】  １  腕時計本体
２  防犯ブザーＳＷ（ＯＮ  ＯＦＦ）
３  腕時計ベルト
４  防犯ブザー機能収納部
【図１】
0003154233.tif 000003
【図２】
0003154233.tif 000004
【手続補正書】
【提出日】平成21年5月30日(2009.5.30)
【手続補正１】
【補正対象書類名】実用新案登録請求の範囲
【補正対象項目名】全文
【補正方法】変更
【補正の内容】
【実用新案登録請求の範囲】
【請求項１】
デジタルムーブメントとアラームを有する腕時計に防犯ブザーを備えて、防犯ブザーをアラームとは別に単独で駆動する腕時計一体型防犯ブザー機器。
【請求項２】
防犯ブザー専用ＳＷボタンを数秒押す事で防犯ブザーに電気的信号が入りブザー音を発し周囲に知らせる事を特徴とする請求項１記載の腕時計一体型防犯ブザー機器。
【請求項３】
防犯ブザー専用ＳＷボタンを数秒押す毎にスイッチがＯＮ，ＯＦＦ切替わり電気的信号のＯＮ，ＯＦＦに伴い防犯ブザーの鳴動部が鳴る、止まるを繰り返すことを特徴とする請求項１または請求項２記載の腕時計一体型防犯ブザー機器。
【請求項４】
通常デジタル式ムーブメントの腕時計としてカモフラージュ使用するものの緊急時において１２０〜１３０ｄＢ／ｍの音量で防犯ブザー音を鳴らし周囲に危険を知らせることを特徴とする請求項１または請求項２または請求項３の腕時計一体型防犯ブザー機器。
【請求項５】
デジタルムーブメントとアラームを有する腕時計のアラーム音を１２０〜１３０ｄＢ／ｍの音量として鳴らす事で周囲に危険を知らしめる腕時計一体型防犯ブザー機器。
【手続補正書】
【提出日】平成21年8月1日(2009.8.1)
【手続補正１】
【補正対象書類名】実用新案登録請求の範囲
【補正対象項目名】全文
【補正方法】変更
【補正の内容】
【実用新案登録請求の範囲】
【請求項１】
デジタルムーブメントとアラームを有する腕時計に防犯ブザーを備えて、防犯ブザーをアラームとは別に単独で駆動する腕時計一体型防犯ブザー機器。
【請求項２】
防犯ブザー専用ＳＷボタンを数秒押す事で防犯ブザーに電気的信号が入りブザー音を発し周囲に知らせる事を特徴とする請求項１記載の腕時計一体型防犯ブザー機器。
【請求項３】
防犯ブザー専用ＳＷボタンを数秒押す毎にスイッチがＯＮ，ＯＦＦ切替わり電気的信号のＯＮ，ＯＦＦに伴い防犯ブザーの鳴動部が鳴る、止まるを繰り返すことを特徴とする請求項１または請求項２記載の腕時計一体型防犯ブザー機器。
【請求項４】
0003154233.tif 000005
求項１または請求項２または請求項３の腕時計一体型防犯ブザー機器。
【請求項５】
0003154233.tif 000006
て鳴らす事で周囲に危険を知らしめる腕時計一体型防犯ブザー機器。
(57)【要約】      （修正有）【課題】波による道糸の緩みを解消するとともに、高波による釣り竿の竿受けからのはずれを解消する釣り竿受けを提供する。【解決手段】船べり固定部分である竿受け本体１と釣り竿を置く部分を有する２とを分離し、固定軸３にて可動式に固定し、その竿受け２に可動固定軸４で固定した弾性材を入れたケース５を設け、本体に形成した１ａで受けることにより、竿受け２部分がゆるやかに上下出来るようにすることにより道糸の緩みを解消する。また、竿受け２先端に釣り竿を押さえる釣り竿押さえを可動式に設置したことにより、釣り竿のはずれを防ぎ、且つ着脱を容易に行えるようにした。【選択図】図１
0003154238.tif 000002
【実用新案登録請求の範囲】
【請求項１】
竿受け本体を船べり固定部と竿受け部にわけ可動式にし、可動部に弾性材を入れ、弾性材接続部の内部にワイヤー線を設置し飛び出しを防ぎ、波による釣り竿の上下に伴う道糸の緩みをなくし魚の当たりがよくわかり、かかりやすくなるようにした構造を特徴とする竿受け。
【請求項２】
従来は釣り竿を乗せているだけのため、大きな波のゆれにより竿置き部分からはずれてしまうので、竿受け部の先端に可動式の釣り竿押さえ留め具をつけることにより着脱は簡単なまま、はずれにくくした構造を特徴とする竿受け。
【考案の詳細な説明】
【技術分野】
【０００１】  本考案は、船釣りの船のゆれによる、道糸の緩みと竿受けから竿のはずれを解消するための釣り竿受けである
【背景技術】
【０００２】  従来品は竿を受けるだけの機能しかなく、波による船のゆれで道糸が緩み竿受けからはずれることが一番の問題点であった。
道糸が緩むと魚のあたりがあった際にも釣り糸が張られない為食いついたかがわからず、釣り人は常に釣り竿を手に持ち魚の食いつきを探っていなければならなかった。
【考案の概要】
【考案が解決しようとする課題】
【０００３】  船べりに固定してあるだけの竿受けだと、波が起きるたびに釣り竿に通した道糸が緩み、魚のあたりがわからなかったため、釣り人は竿受けに竿を置きつつも常に竿は手に持っていなくてはならなかった。
また、波が大きいと揺れにより竿受け部分から釣り竿がはずれやすいという問題点を解決しようとするものである。
【課題を解決するための手段】
【０００４】  本考案は竿受けと船べりの固定部分をわけて可動式にし、可動部に弾性材を入れることによって波で船が上下することにより釣り竿が上下する際、竿受け部分も動くようにしたため道糸が緩まなくなる。さらに竿受けの先端部分に可動式の釣り竿を押さえるための固定具をつけ、大きな波でも竿受けから釣り竿がはずれなくなるようにし、はずすときは釣り竿を持ち上げることで簡単にはずれるようにすることによって問題点を解決している。
【考案の効果】
【０００５】  波に合わせて竿受けが上下するようにしたため道糸が緩まず魚のあたりが見てもわかるようになった。さらに弾性材の効果により通常よりも魚のかかりがよくなるようになった。
釣り竿受け先端の可動式の釣り竿固定具により、大きな波でも釣り竿がはずれにくいうえ、魚のあたりがあった際には釣り竿を引きあげるだけで着脱を簡単に行えるようにした。よって釣り人は常に釣り竿を手に持っていなくてもよくなった。
【図面の簡単な説明】
【０００６】
【図１】本考案の可動式竿受け部を有する竿受け本体の側面図である。
【図２】本竿受けの可動式先端部の正面図である。
【考案を実施するための形態】
【０００７】  釣り竿受け本体を船べり固定部と竿受け部に分離し固定具にて可動式に固定し、弾性材を内包したケースを竿受け部と船べり固定部との間に設けた。さらに竿受け先端に釣り竿押さえを設置することにより釣り竿の飛び跳ねや竿はずれを防げるようになる。
【実施例】
【０００８】以下、添付図面にしたがって実施例を説明する。１は耐久性の高い適宜素材で形成された船べり固定部を有する本体、２は図２の可動式竿受け先端を有する竿受け部で、可動式固定具３により本体１に取り付け、可動可能のものとする。竿受け２に弾性材を入れるためのケース状の５をピン４にて枢着し可動可能にし、本体１に形成した弾性材を受ける１ａとケース５の内部をワイヤー線６で繋ぐことにより飛び出しを防止し、柔軟に上下に可動するものとする。【０００９】前述の竿受け２の先端（図２）に、釣り竿の両脇を固定する一対の釣り竿押さえ７に軸ピン８を設置することにより可動式にし、竿受け先端固定部に緩衝用の弾性部品９をいれることによって、釣り竿の飛び出しを防ぎ着脱を簡単に行えるようになる。【００１０】本考案の実施例は、上述の如き構成からなるもので従来の竿受け同様、緩やかな波の時にも使える事ももちろんであるが、激しく船が上下するような波の大きな場合にも釣り竿を常に手に持っていなくても釣りが行えるようになるものである。
【符号の説明】
【００１１】１  船べり固定本体
２  可動式竿受け
３  可動式固定具
４  ピン
５  弾性材内包ケース
６  ワイヤー線
７  釣り竿押さえ
８  軸ピン
９  弾性部品
【図１】
0003154238.tif 000003
【図２】
0003154238.tif 000004
【手続補正書】
【提出日】平成21年6月22日(2009.6.22)
【手続補正１】
【補正対象書類名】実用新案登録請求の範囲
【補正対象項目名】全文
【補正方法】変更
【補正の内容】
【実用新案登録請求の範囲】
【請求項１】
竿受け本体を船べり固定部と竿受け部にわけ可動式にし、可動部に弾性材を入れ、弾性材接続部の内部にワイヤー線を設置し飛び出しを防ぎ、波による釣り竿の上下に伴う道糸の緩みをなくし魚の当たりがよくわかり、かかりやすくなるようにした構造を特徴とする竿受け。
【請求項２】
従来は釣り竿を乗せているだけのため、大きな波のゆれにより竿置き部分からはずれてしまうので、竿受け部の先端に可動式の釣り竿押さえ留め具をつけることにより着脱は簡単なまま、はずれにくくした構造を特徴とする請求項１記載の竿受け。
(57)【要約】【課題】  内燃機関用ダイレクトイグニッションにおいて、アフターマーケット製品の高性能点火プラグを使用する時に、点火プラグのターミナル上端の穴とダイレクトイグニッション側の電極が接触不良となるトラブルを解消したターミナルを提供する。【解決手段】  点火プラグのターミナル部上端が閉塞された形状のターミナルに交換して接触不良を防止する。また、通電性の高い材質である、カーボン、銀、銅、金、アルミ、鉄、これらを含む合金、または左記材質を表面処理した物を採用して電気抵抗を低減させて点火性能を向上させる。【選択図】図５
0003154235.tif 000002
【実用新案登録請求の範囲】
【請求項１】
点火プラグ上部に取り付けるターミナル（端子とも表現するが以後ターミナルとする）において上端穴が閉塞された形状のターミナルを提供する。
【請求項２】
通電性の高い材質である、カーボン、銀、銅、金、アルミ、鉄、これらを含む合金、または左記材質を表面処理した物を採用して電気抵抗を低減させた請求項１記載のターミナルを提供する。
【考案の詳細な説明】
【技術分野】
【０００１】  本考案は、内燃機関に用いる点火プラグのターミナルの形状変更と材質変更したターミナルに関するものである。
【背景技術】
【０００２】  ダイレクトイグニッション方式では点火プラグのターミナル上端の穴にダイレクトイグニッション側の電極が入ってしまい接触圧不足から接触不良となり点火不良のトラブルが発生していた。
【考案の概要】
【考案が解決しようとする課題】
【０００３】  自動車メーカー出荷時のダイレクトイグニッション式の点火プラグは、ターミナルと点火プラグが一体構造で上端は平坦であり、その平坦な部分にダイレクトイグニッションの電極が接触して通電する。更に点火火花を強く安定した着火を求めてアフターマーケット製品の高性能点火プラグに交換した場合に問題が発生する。高性能点火プラグは多種多様な内燃機関向けに作られているのでターミナル部分がネジ嵌合で脱着出来る構造となっている。このターミナルは所定径の穴（以後穴とする）が貫通しており、貫通させる事によってターミナル上端には穴が開くことになる。この穴にダイレクトイグニッション側の電極が入ってしまい接触圧力不足から接触不良となり点火不調が発生する。
対策としてターミナル上端穴にネジを詰め込んで切断して平坦に加工して上端穴を塞いだりしたが、内燃機の気筒分を作業しなくてはならない。例えばレースに使用する点火プラグは消耗品で１レース毎に交換なので作業が面倒である。これらの欠点を解決しようとするものである。
【課題を解決するための手段】
【０００４】  本考案は、通電性の高い材質である、カーボン、銀、銅、金、アルミ、鉄、これらを含む合金、または左記材質を表面処理した物体で、上端穴が閉塞された形状のターミナルとして何度でも脱着して使えることにより問題点を解決している。
【考案の効果】
【０００５】  上述の様に、本考案のターミナルはダイレクトイグニッション側の電極と従来の位置で接触出来て接触不良による点火不良トラブルが防げる。しかも通電性の高い材質を用いるので点火火花を強く安定した着火となる。
【図面の簡単な説明】
【０００６】
【図１】ダイレクトイグニッションの組み合わせを図示したものである。
【図２】一般的に流通しているターミナルを拡大断面図示したものである。
【図３】一般的に流通している点火プラグのターミナルを外した状態とターミナルを組み付けた状態を図示したものである。
【図４】本考案のターミナルを組み付けた状態を図示したものである。
【図５】本考案のターミナルを拡大断面図示したものである。
【図６】従来のターミナルと電極の接触状況を図示したもので、ｂ図は接触部分を拡大断面図示したものである。
【図７】本考案のターミナルと電極の接触状況を図示したもので、ｂ図は接触部分を拡大図示したものである。
【考案を実施するための最良の形態】
【０００７】  点火プラグメーカーが供給するターミナルは多種多様な内燃機関向けに作られているのでターミナル形状が段付きで上端部に穴が開いている。ダイレクトイグニッションでは段付きは不要で上端穴は無いのが望ましいので単純な円柱形状として片側端面からのみネジ穴加工がされて貫通しない構造とする。
【実施例】
【０００８】  以下、添付図面に従って一実施例を説明する。
図１はダイレクトイグニッションの組み合わせを図示したものである。ダイレクトイグニッションにはプラグコードが存在しないので、点火コイル１と点火プラグ５はこのように勘合する。プラグキャップ２内に電極３があり、ターミナル４と接触して通電させてスパークさせる。【０００９】  図２は一般的に流通しているターミナル４の拡大断面図である。図３ａは一般的に流通している点火プラグ５のターミナル４を外した状態である。図３ｂは一般的に流通している点火プラグ５にターミナル４を組み付けた状態である。【００１０】  図４は本考案のターミナル４を組み付けた状態である。図５は本考案のターミナル４の拡大断面図である。【００１１】  図６ａはダイレクトイグニッション方式において、従来の一般的に流通しているターミナル４と電極３の接触状況を図示したものである。図６ｂは接触部の拡大図である。図示したように従来の一般的に流通しているターミナル４では、電極３とターミナル４間に隙間が生じて接触不良となりスパーク不良が発生する。【００１２】  図７ａはダイレクトイグニッション方式において、本考案のターミナル４と電極３の接触状況を図示したものである。図７ｂは接触部の拡大図である。図示したように隙間なく接触しており通電性がよいので安定したスパークが発生する。
【符号の説明】
【００１３】  １  ダイレクトイグニッションの点火コイル
２  プラグキャップ
３  電極
４  ターミナル
５  点火プラグ
【図１】
0003154235.tif 000003
【図２】
0003154235.tif 000004
【図３】
0003154235.tif 000005
【図４】
0003154235.tif 000006
【図５】
0003154235.tif 000007
【図６】
0003154235.tif 000008
【図７】
0003154235.tif 000009
【手続補正書】
【提出日】平成21年7月8日(2009.7.8)
【手続補正１】
【補正対象書類名】実用新案登録請求の範囲
【補正対象項目名】全文
【補正方法】変更
【補正の内容】
【実用新案登録請求の範囲】
【請求項１】
点火プラグ上部に取り付けるターミナル（端子とも表現するが以後ターミナルとする）において上端穴が閉塞された形状のターミナル
【請求項２】
通電性の高い材質である、カーボン、銀、銅、金、アルミ、鉄、これらを含む合金、または左記材質を表面処理した物を採用して電気抵抗を低減させた請求項１記載のターミナル
(57)【要約】【課題】    紙と糊を材料とし使用において十分な強度と送風量を持ち、廃棄時に再生紙資源としリサイクル可能な環境配慮型で、うちわに付加価値を付けることのできる紙うちわを提供する。【解決手段】1扇面部に2扇面下部貼り合せ部を糊で貼り合せます。糊で貼り合せた部分は軟らかい状態となり、貼り合わせた部分の面を曲面状の型に押し当てることで曲面を作ることができます。貼りあわせた部分の面は糊が乾くことで強度が得られ曲面状態を維持し、うちわ扇面下部貼り合せ部からうちわ扇面外側方向に曲面が緩やかになる形状を有します。その結果、うちわ扇面に強度としなりに対する腰ができ比較的薄めの板紙を使用することができるようになり柄の部分を長くすることが可能になり送風力効率が高まり紙と糊を材料としているので廃棄時に再生紙資源としリサイクル可能な環境配慮型な紙うちわで市販されている光触媒効果活用紙等の使用で付加価値を高めることができる。【選択図】  図１
0003154223.tif 000002
【実用新案登録請求の範囲】
【請求項１】
うちわ扇面とうちわ扇面下部貼り合せ部を糊で貼り合わせ、貼り合わせた部分の面を曲面状の型に押し当てて曲面を作り、うちわ扇面下部貼り合せ部からうちわ扇面外側方向に曲面が緩やかになる形状を有した紙うちわ。
【考案の詳細な説明】
【技術分野】
【０００１】
この考案は、紙を素材として製造される紙うちわに関するものである。
【背景技術】
【０００２】
従来のうちわは、竹またはプラスチックからなる骨組の両面に紙を中心とした軽量のシート材を貼付けするものが一般的である。また、骨組および柄を用いない紙うちわや紙うちわの扇面に型押罫線を設けたりする柄を持つ紙うちわも存在する。
【先行技術文献】
【特許文献】
【０００３】
【特許文献１】実開平05-093235
【特許文献２】特開2002-034625
【特許文献３】特開2003-070515
【特許文献４】特開2003-093124
【特許文献５】特開2004-065613
【特許文献６】特開2004-321349
【特許文献７】特開2007-144038
【特許文献８】特開2009-039531
【考案の概要】
【考案が解決しようとする課題】
【０００４】
紙を素材とし使用において十分な強度と送風量を持ち、廃棄時に再生紙資源としリサイクル可能な環境配慮型で、うちわに付加価値を付けることのできる紙うちわを提供する。
【課題を解決するための手段】
【０００５】
うちわ扇面とうちわ扇面下部貼り合せ部を糊で貼り合わせ、貼り合わせた部分の面を曲面状の型に押し当てて曲面を作り、糊が乾いたあとボール紙等で作ってある柄に扇面下部分を挟み込み糊で接着固定する、うちわ扇面下部貼り合せ部からうちわ扇面外側方向に曲面が緩やかになる形状を有した紙うちわで上記課題を解決するものである。
【考案の効果】
【０００６】
貼りあわせた部分の面は糊が乾くことで強度が得られ曲面状態を維持します。うちわ扇面下部貼り合せ部からうちわ扇面外側方向に曲面が緩やかになる形状を有します。その結果、うちわ扇面に強度としなりに対する腰ができ比較的薄めの板紙を使用することができる。
【０００７】
うちわを扇いだときにかかる扇面と柄の接続部分の負荷不安が解消され柄の部分を長くすることが可能になり送風力効率を高くすることができる。
【０００８】
紙と糊を材料としているので廃棄時に再生紙資源としリサイクル可能な環境配慮型な紙うちわ。
【０００９】
うちわの骨組が無いので、うちわ扇面に多様なグラフィックデザインの表現や抜き型の型を変えることでうちわの外形のデザイン変更が簡単にでき市販されている光触媒効果活用紙等を使用することで付加価値を高めることができる。
【図面の簡単な説明】
【００１０】
【図１】この考案の実施例である紙うちわの正面平面図 。
【図２】同じく実施例の上側斜め正面図。
【図３】同じく実施例の上側斜め側面図。
【図４】同じく実施例の側面図。
【図５】同じく実施例の下側斜め正面図。
【図６】同じく実施例の下側斜め側面図。
【考案を実施するための形態】
【００１１】
うちわ扇面下部貼り合せ部からうちわ扇面外側方向に曲面が緩やかになる形状を有し、これに柄を取り付けて形成した。以上よりなる柄つき紙うちわ。
【実施例】
【００１２】
図１の1扇面部と2扇面下部貼り合せ部を型抜き機で抜いて作成します。
【００１３】
1扇面部に2扇面下部貼り合せ部を糊で貼り合せます。糊で貼り合せた部分は軟らかい状態となり、貼り合わせた部分の面を曲面状の型に押し当てることで曲面を作ることができます。本実施例では扇面下部貼り合せ部に使用する枚数は１枚であるが使用する用紙厚さに応じて片面のみ１枚から両面合計４枚程度とする。
【００１４】
貼りあわせた部分の面は糊が乾くことで強度が得られ曲面状態を維持します。糊が乾いたあとボール紙等で作ってある3柄に扇面下部分を挟み込み糊で接着固定します。
【産業上の利用可能性】
【００１５】
この考案による紙製うちわは、多機能付き紙うちわとしての利用の可能性がある。
【符号の説明】
【００１６】
1 扇面部
2 扇面下部貼り合せ部
3 柄
【図１】
0003154223.tif 000003
【図２】
0003154223.tif 000004
【図３】
0003154223.tif 000005
【図４】
0003154223.tif 000006
【図５】
0003154223.tif 000007
【図６】
0003154223.tif 000008
(57)【要約】      （修正有）【課題】取り外した石突きカバーの紛失を防止するとともに、取り外しと装着の頻繁な使用にも簡便に対応できるばかりでなく、ファション性にも富む携行具を提供する。【解決手段】略砲弾形を呈した本体１の頂部に、リングが設けられるリング孔３を有する吊下げ部２を備えたことを特徴とする。略中央部が最大径を呈しており、この最大径の部位から頂部及び下端方向に向けては徐々に小径状態に形成されているので、カバーの長穴にスムーズに挿入される。【選択図】図１
0003154285.tif 000002
【実用新案登録請求の範囲】
【請求項１】
略砲弾形を呈した本体１の頂部に、リング５が設けられたリング孔３を有する吊下げ部２を備えたことを特徴とするストックの石突きカバー携行具。
【考案の詳細な説明】
【技術分野】
【０００１】  本考案は、登山やハイキング、或いは日常生活の歩行で使用されるストックの先端石突き部のカバーを取り外して使用する場合、取り外されたカバーを携行するときに使用される携行具に関するものである。
【背景技術】
【０００２】  登山やハイキング、或いは日常生活の歩行で使用されるストック先端部の石突きには、携行時の安全性の確保や、使用時の滑り止めのために、ゴムなどで作られたカバーが装着されているのが常である。
一方、登山やハイキングにおいては、カバーを外しての使用を好む人や、登山コースによって使い分けを好む人などもいる事も現状である。【０００３】  カバーを外して使用する場合、外したカバーをポケットにしまってそのまま登山を続け、登山道が木道に変わったので、外したカバーを石突きに取り付けようとしたとき、紛失していたと言う話しはしばしば耳にする事である。
【考案の開示】
【考案が解決しようとする課題】
【０００４】  そこで本考案は係る事実に鑑み、取り外した石突きカバーの紛失を防止するとともに、取り外しと装着の頻繁な使用にも簡便に対応できるばかりでなく、ファション性にも富む携行具を提供しようとするものである。
【課題を解決するための手段】
【０００５】  本考案のストックの石突きカバー携行具は、略砲弾形を呈した本体の頂部に、リングが設けられたリング孔を有する吊下げ部を備え課題を解決するための手段としている。
【考案の効果】
【０００６】  本考案は、以上のような構成で課題を解決するための手段とするものであるから、以下の効果を奏する。【０００７】（１）本考案のストックの石突きカバー携行具は、図示のように略砲弾形を呈して形成されたものなので、略中央部が最大径を呈しており、この最大径の部位から頂部及び下端方向に向けては徐々に小径状態に形成されているので、カバーの石突き長穴にスムーズに挿入される。【０００８】（２）市販のカバーはそのほとんどがゴム製であることから、一旦、本考案の携行具が挿入されたカバーは意識して取り外さない限り、不用意に外れることは無く安心して携行できる。また、その携行も頂部に設けられたリングを用いて、ウエストバッグやリックサックのファスナーリング等に取り付けて携行することができるのでファション性にも富むばかりでなく、装着脱はさしたる労を要せず簡便に行なえるので頻繁な使用にも最適なものとなっている。
【考案を実施するための最良の形態】
【０００９】  本考案のストックの石突きカバー携行具は、略砲弾形を呈した本体の頂部に、リングが設けられたリング孔を有する吊下げ部を備えたことを特徴とするもので、頂部に備えられた吊下げ部は本体とは分離不可の一体的に形成されている。【００１０】  また、当該携行具の材料は特に限定されないが、軽量であることの他、着色加工を施すことも事も求められることから例えば、アルミニュームや合成樹脂で作られることが望ましい。
【実施例】
【００１１】  図面に示す実施例に基づき本考案を詳細に説明すると、図１は本考案に係るストックの石突きカバー携行具Ａを説明するもので、携行具Ａの本体１は略砲弾形を呈しており、該本体１の頂部にはリング５が設けられるためのリング孔３を有する吊下げ部２を備えたことを特徴としている。この本体１は略中央部が最大径で、該最大径部から頂部及び下端方向に向けては徐々に小径状態に形成されて略砲弾形を呈している。【００１２】  図２は、本考案に係るストックの石突きカバー携行具Ａに石突きカバーＣを取り付けて実際の携行時を説明するもので、本体１を後記説明の石突きカバーＣの石突き長穴２２に挿入しすることで図示状態を呈する。
尚、図中の符号６は、本体頂部に設けられたリング５に付設された吊下げリングである。【００１３】  図３は、本考案に係る携行具Ａによって携行される石突きカバーＣが用いられている最も多いタイプの登山・ハイキングに使用されるスットックＢを説明するもので、該ストックＢのシャフト１１の頂部には握部１２が設けられ、長さを調節するための調節固定リング１３を少なくとも２ケ所に有し、下端部位１５の直上には小さいバスケット１４を備え、前記下端部位１５の下方に位置する石突き（図示省略）にカバーＣが取り付けられている。【００１４】  図４はカバーＣを断面で示し説明するもので、このカバーＣは例えばゴムなどのような滑り難い材料でつくられていて、本体２１の中心部には、内底面に鋼板２３を敷設した長穴２２が長手方向に設けられている。
【産業上の利用可能性】
【００１５】  本考案のストックの石突きカバー携行具は以上説明のように、略砲弾形を呈した本体の頂部に、リングが設けられたリング孔を有する吊下げ部を備えた構成を有するものなので、一旦、当該携行具に取り付けられた石突きカバーは、意識して取り外さなければ不用意に外れる事は無いので紛失の虞も無い。また、これを製造するに何ら問題点が無いばかりでなく、
その上、その携行は頂部に取り付けられたリングによってウエストバッグやリックサックに吊下げて携行することができるのでファツション性に冨むものとなり、登山愛好者が多くなった中高年の女性にも利用が薦められることから、産業上大いに期待される。
【図面の簡単な説明】
【００１６】
【図１】本考案に係るストックの石突きカバー携行具Ａを説明するものである。
【図２】図１の携行具Ａに石突きカバーＣを取り付け、実際の携行時を説明する図である。
【図３】図１の携行具Ａで携行される石突きカバーＣが最も多く採用されているストックＢを説明する図である。
【図４】石突きカバーＣを断面で示し説明する図である。
【符号の説明】
【００１７】Ａストックの石突きカバー携行具      Ｂストック      Ｃ石突きカバー
１本体      ２吊下げ部      ３リング孔      ５リング      ６吊下げリング
１１シャフト    １２握部    １３調節固定リング    １４バスケット    １５下端部位
２２長穴    ２３鋼板
【図１】
0003154285.tif 000003
【図２】
0003154285.tif 000004
【図３】
0003154285.tif 000005
【図４】
0003154285.tif 000006
(57)【要約】      （修正有）【課題】車両が排気する排気ガス中の有害物質を除去できる触媒転化器を提供する。【解決手段】触媒転化器２は、排気管と接続できる中空殻体１を設置し、前記中空殻体１内に第１触媒２１と第２触媒２２を設置し、第１触媒と第２触媒は、それぞれ複数の第１導気孔２１１と複数の第２導気孔２２１を有し、第１触媒２１と第２触媒２２の間に空間３を持たせ、車両が排出する排気ガスを前記空間３内に一定時間停留させ、排気ガスと第１触媒と第２触媒の表面に燃焼反応を行わせ、排気ガスをより完全に燃焼させ、排気ガス中の有害物質を減少させ、排気ガス量を増加させ、もって車両の馬力も相対して増加させることを可能とする。【選択図】図１
0003154287.tif 000002
【実用新案登録請求の範囲】
【請求項１】
車両が排気する排気ガス中の有害物質を除去できる触媒転化器であって、
該触媒転化器は、排気管と接続できる中空殻体を設置し、前記中空殻体内に第１触媒と第２触媒を設置し、
第１触媒と第２触媒は、それぞれ複数の第１導気孔と複数の第２導気孔を有し、第１導気孔の孔径が第２導気孔の孔径と異なり、
第１触媒と第２触媒の間に空間を持たせ、該空間内で排気ガスと触媒との接触時間を増加させることにより、排気ガス中の有害物質をより完全に除去させる触媒転化器。
【考案の詳細な説明】
【技術分野】
【０００１】
本考案は、触媒転化器に関し、車両エンジンが排出する排気ガス中の有害物質を除去できる触媒転化器に関する。
【背景技術】
【０００２】
１９７０年代に発明されてから今まで使用されている触媒転化器の核心材料は、表面がパラジウム、プラチナ、ロジウム等の貴重な金属を含む多孔性セラミックである。環境保護のため、触媒転化器上の孔は、単位面積において、益々多くなり、相対して孔径も小さくなり、車両の排気ガスと触媒転化器の接触面積を増加し、排気ガス中の有害物質を減少しているが、この種の方法は、触媒転化器を経由する排気ガス量を低減させ、車両の馬力を低減させ、排気ガス中の有害物質を減少させることができるが、同時にエネルギー源の損耗も増加するので、排気ガス中の有害物質を如何に効率的に減少させ、且つ車両の馬力を低下させないようにするかは、関連業者が研究開発を欲するところである。
【先行技術文献】
【特許文献】
【０００３】
【特許文献１】特許公開平６−８８５２０号公報
【考案の概要】
【考案が解決しようとする課題】
【０００４】
本考案の目的は、触媒転化器が設置する第１触媒及び第２触媒を利用し、且つ第１触媒及び第２触媒の間に空間を形成し、車両が排気する排気ガスを空間内で一定時間停留できるようにし、排気ガスと第１触媒及び第２触媒の表面に燃焼反応を行わせ、排気ガスを更に完全燃焼させることができ、排気ガス中の有害物質を減少し、排気ガスを増加でき、車両の馬力も相対的に増加することができるようにすることである。
【課題を解決するための手段】
【０００５】
上記の目的を達成するため、本考案の触媒転化器は、
車両が排気する排気ガス中の有害物質を除去できる触媒転化器であって、該触媒転化器は、排気管と接続できる中空殻体を設置し、殻体内に第１触媒と第２触媒を設置し、且つ第１触媒と第２触媒は、それぞれ複数の第１導気孔と複数の第２導気孔を有し、第１導気孔の孔径が第２導気孔の孔径と異なり、第１触媒と第２触媒の間に空間を持たせ、排気ガスに触媒転化器と接触時間を増加させ、排気ガス中の有害物質をより完全に除去させる。
【考案の効果】
【０００６】
本考案は、触媒転化器が設置する第１触媒及び第２触媒を利用し、且つ第１触媒及び第２触媒の間に空間を形成し、車両が排気する排気ガスを空間内で一定時間停留できるようにし、排気ガスと第１触媒及び第２触媒の表面に燃焼反応を行わせ、排気ガスを更に完全燃焼させることができ、排気ガス中の有害物質を減少し、排気ガスを増加でき、車両の馬力も相対的に増加する。
【図面の簡単な説明】
【０００７】
【図１】本考案の立体断面説明図である。
【図２】本考案の側面断面説明図である。
【考案を実施するための形態】
【０００８】
図１、図２に示すように、本考案の触媒転化器は、中空殻体１を設置し、該中空殻体１の二側は、車両排気管と接続する排気口１１と給気口１２を有し、且つ中空殻体１内に触媒転化器２を設置し、該触媒転化器２は、第１触媒２１と第２触媒２２を設置し、且つ第１触媒２１と第２触媒２２は、それぞれ複数の第１導気孔２１１と複数の第２導気孔２２１を有し、且つ各第１導気孔２１１の孔径が各第２導気孔２２１の孔径より小さいものである。
【０００９】
本考案の使用時、先ず、中空殻体１を車両の排気管に接続し、車両を起動した後、車両が排出する排気ガスが中空殻体１の給気口１２を中空殻体１内に進入でき、排気ガスが第２触媒２２が設置される複数の第２導気孔２２１を通過する時、車両エンジンが燃焼しきっていない排気ガスを再度燃焼させ、第２触媒２２を経て燃焼した排気ガスが更に第１触媒２１の複数の第１導気孔２１１を経過し、排気ガスを第１触媒２１を経て燃焼させた後、排気管外へ排出し、第１導気孔２１１の孔径が各第２導気孔２２１の孔径より小さいので、第２導気孔２２１経た排気量ガス量が第１導気孔２２１に流出する排気ガス量より大きくなり、従って、排気ガスが第２触媒２２の第２導気孔２２１を経て燃焼後、空間３内に一定時間停留し、排気ガスを第１触媒２１を経て燃焼させる前、第１触媒２１と第２触媒２２の表面と燃焼反応を行わせることができ、排気ガスを完全燃焼させ、排気ガス中の有害物質を減少し、且つ排気ガス量を増加でき、車両の馬力も相対的に増加できる。
【符号の説明】
【００１０】
１  中空殻体
１１  排気口
１２  給気口
２  触媒転化器
２１  第１触媒
２１１  第１導気孔
２２  第２触媒
２２１  第２導気孔
３  空間
【図１】
0003154287.tif 000003
【図２】
0003154287.tif 000004
(57)【要約】      （修正有）【課題】ポリ袋の大きさに相違があってもダストボックスの中にポリ袋が都合よく収まることができるダストボックスを提供する。【解決手段】ダストボックスの周壁１の上縁２に複数の切欠きによる係止部３を設けてある。周壁１、上縁２の複数の係止部３にポリ袋の縁を係止してポリ袋をダストボックス内に収めることができる。しかも、ポリ袋の大きさとダストボックスの大きさに相違があっても、ポリ袋をダストボックス内に収めることができて好都合である。【選択図】図１
0003154290.tif 000002
【実用新案登録請求の範囲】
【請求項１】
ダストボックスの周壁の上縁に複数の切欠きによる係止部を設けてあるダストボックス。
【請求項２】
ダストボックスの中仕切り部の上縁にも複数の切欠きによる係止部を設けてある上記請求項１に記載のダストボックス。
【請求項３】
平面が四辺形の大型の上記請求項１に記載のダストボックス。
【請求項４】
平面が円形の小形である上記請求項１に記載のダストボックス。
【考案の詳細な説明】
【技術分野】
【０００１】
本考案は、一般事務所、家庭でごみを捨てるダストボックスに関する。
【背景技術】
【０００２】
一般の事務所、家庭で使用されるごみ捨て用のダストボックスは、小形か中形のものが多く、このダストボックス内に直接ごみを捨てることもあるが、スーパーマーケット、コンビニエンスストア等で出されているポリ袋をダストボックス内に収めて、このポリ袋内にごみを捨てるようにすることが多い。
このポリ袋とダストボックスの大きさが適合すればいいが、適合しないことが多く、ダストボックス内にポリ袋が都合よく収まらないことがある。
【考案の概要】
【考案が解決しようとする課題】
【０００３】
本考案は、ポリ袋の大きさに相違があってもダストボックスの中にポリ袋が都合よく収まることができるダストボックスを提供することを目的とする。
【課題を解決するための手段】
【０００４】
そのために、本考案では、ダストボックスの周壁の上縁に複数の切欠きによる係止部を設けてあることを特徴とする。
また、ダストボックスの中仕切り部の上縁にも複数の切欠きによる係止部を設けてある。
【考案の効果】
【０００５】
本考案は、ダストボックスの周壁の上縁に複数の切欠きによる係止部を設けてあるから、周壁上縁の複数の係止部にポリ袋の縁を係止してポリ袋をダストボックス内に収めることができる。しかも、ポリ袋の大きさとダストボックスの大きさに相違があっても、ポリ袋をダストボックス内に収めることができて好都合であるという効果がある。
【図面の簡単な説明】
【０００６】
【図１】平面四角形の比較的大形であって、中仕切りのある蓋付きのダストボックスの斜面図。
【図２】図１のダストボックスであって、ポリ袋を納めてある状態を示す斜面図。
【図３】比較的小形の平面円形のダストボックスの斜面図。
【図４】図３のダストボックスであって、ポリ袋を収めてある状態を示す斜面図。
【考案を実施するための形態】
【０００７】
図１及び図２に蓋付きの平面四角形状の比較的大形のダストボックスを示してある。このダストボックスの周壁１の上縁２に複数の切欠きによる係止部３を設けてあり、この係止部３にポリ袋４の上部を係止し、ポリ袋４をダストボックス内に収める。
この比較的大形のダストボックスは蓋５を設けてあり、中仕切り６も設けてあり、この中仕切り６の上縁７にも周壁１の上縁２に設けたものと同様の複数の切欠きによる係止部３を設けてある。
【０００８】
図３及び図４に平面円形の小形のダストボックスを示してある。このダストボックスの周壁１の上縁２に複数の切欠きによる係止部３を設けてあり、この係止部３にポリ袋４の上部を係止し、ポリ袋４をダストボックス内に収めてある。これにより、多少大きさの相違するポリ袋でもダストボックス内に収めることができる。
【符号の説明】
【０００９】
１    周壁
２    上縁
３    係止部
４    ポリ袋
５    蓋
６    中仕切り
７    上縁
【図１】
0003154290.tif 000003
【図２】
0003154290.tif 000004
【図３】
0003154290.tif 000005
【図４】
0003154290.tif 000006
(57)【要約】      （修正有）【課題】しゃがみ作業による腰痛の原因を作らず、作業員が手の届かない場所に入ることによりコンクリートやモルタルが窪み、水溜りの原因になっていた従来の作業を行わなくても良いワンタッチ左官ゴテ連結金具棒を提供する。【解決手段】左官ゴテと作業員の持つ長い棒を固定する連結自在金具は、弾力性があり、ボルト穴を５箇所にすることにより装着部分を強化し、重心を自在にすることができる。固定金具をボルト・ワッシャー・ナットで左官ゴテの柄の部分に取り付け、固定金具の上部にあるコの字型のボルト穴連結部分と作業員が持つ長い棒のボルト穴連結部分を、ボルト・ワッシャー・ナットで取り付け、固定金具の後部と長い棒の連結部分の後部についた突起棒にバネを取り付け固定することにより、左官ゴテ全体に長柄の力が伝わる。【選択図】図２
0003154246.tif 000002
【実用新案登録請求の範囲】
【請求項１】
左官ゴテと作業員の持つ長い棒を固定する連結自在金具に関する物で
左官ゴテに弾力性のあるＡの金具をＣのボルト・ワッシャー・ナットなどで取り付ける事によりほとんどの市販されている左官ゴテに装着可能になり  又、Ｆのボルト穴を５箇所にする事で装着部分を強化し、重心を自在にし、Ｂの長柄を装着しＥＤの突起部分にバネを付けることで左官ゴテ全体に長柄の力が伝わるようにした事を特徴とした左官ゴテ連結自在金具棒。
【考案の詳細な説明】
【技術分野】
【０００１】  本考案は土間コンクリート・モルタル打ちの際に左官ゴテに連結するワンタッチ自在金具と長柄の構造に関するものである。
【背景技術】
【０００２】  土間コンクリート打ちモルタル作業における際、従来は手の届かない場所に作業員が腰痛の原因にもなるしゃがみ作業でコンクリートやモルタルを押さえる必要があった。
また手の届かない場所に作業員が入ることによりコンクリートやモルタルが窪み、水溜りの原因にもなっていた。
また従来の製品では連結部分の金具が複雑でコンクリートやモルタルを押さえる際に、力が入りにくい面もあった。又、装着にも時間がかかった。
【解決手段】
【０００３】  Ａを左官ゴテに固定しＣのボルト・ワッシャー・ナットをＦに固定。（重心のかかる位置は好みで自在）Ｇの部分に柄の部分Ｂを取り付ける事により、狭い場所や手の届かない場所、しゃがみ作業による腰痛の原因を作らず、作業員が手の届かない場所に入ることによりコンクリートやモルタルが窪み、水溜りの原因になっていた従来の作業を行わなくても良いようにする為のワンタッチ左官ゴテ連結金具棒。
ＥとＤの突起にバネを固定することにより従来のモノと違い柄の部分にも力を入れることが可能になった。
【考案が解決しようとする課題】
【０００４】  従って、立ち上がってコテ操作をし、手でコテを押さえるかのように柄の部分の作業員の力を左官ゴテに伝える為に連結部分を自在にし、バネをつけることにより力が入りにくい左官ゴテの柄の部分にも力が伝わりやすくする必要があった。尚且つ、従来の製品とは違い、連結金具をスピーディに装着出来る必要もあった。
【０００５】  本考案は上記問題点を解決するために、棒の部分を押さえる力が作業員が左官ゴテを直接手で押さえるかのように力が伝わりやすくなるよう装着部分を自在にし、尚且つバネを付けることにより従来の製品では力が伝わり難かった左官ゴテの柄の部分にも力が伝わりやすく、また、左官ゴテにワンタッチで装着できるようにした。
手の届かない土間コンクリート・モルタル施工の場所へ作業員が入ることなく作業でき、水溜りの原因をなくすことを実現しようとしている。
【考案の効果】
【０００６】  上記のように、従来の製品よりも重心点をより強度に、より自在に出来ることを可能にしたことにより、柄に固定した左官ゴテを作業員が手で作業しているかのよう扱えるようになった。尚且つ、左官ゴテの装着がワンタッチで済み、より作業の効率性が上がる。
例えば、特開平１０−６１１６５の製品は左官ゴテとの連結部分が複雑で作業員が実際に持って作業する棒の部分の力が左官ゴテに伝わりにくかった。
また実用新案３０５４１９３の製品では左官ゴテの連結部分が短すぎて作業員の力が左官ゴテ全体に伝わりにくい不備があった。
本考案は左官ゴテへの連結部分を長く強度にし、しかも自在にボルトで固定することにより、作業員が持つ棒からの力が左官ゴテに伝わりやすくすることが可能になった。
又、バネを付けることによって従来の製品では伝わりにくかった柄の部分にも力が伝わるようになった。さらに左官ゴテに取り付ける部分の鉄板を弾力性のある鉄板にすることによりある程度の柄の大きさの左官ゴテならどの左官ゴテにもワンタッチで装着が可能になった。
固定穴も５箇所にすることにより従来の製品よりも左官ゴテとの装着部分がより強くなり左官ゴテのブレ幅をなくした。
【０００７】  後ろにバネをつけることにより従来の製品では力が伝わりにくかった左官ゴテの柄の部分にも力が伝わりやすくなった。
【考案を実施するための最良の形態】
【０００８】  図１のＡの部分を左官ゴテに装着して重心を決めてＣのボルト・ワッシャー・ナットで固定する。Ｂの棒をＦとＧに合わせＣで固定する。
ＥとＤの部分にバネを装着する。
【実施例】
【０００９】  上記の組み立てにより長い棒の先に装着した左官ゴテにもまんべんなく力が伝わり、手の届かない場所での作業が可能になった。手の届かない場所からコンクリート・モルタルの中に入ることなく、従来の左官ゴテを使用し、大きく広くならすことが可能になった。水溜りの原因になりやすい中での作業、腰痛の原因になるしゃがみ作業がなくなった。
図１のＡの部分を左官ゴテに装着して重心を決めてＣのボルト・ワッシャー・ナットで固定する。Ｂの棒をＦとＧに合わせＣで固定する。
ＥとＤの部分にバネを装着する。
【図面の簡単な説明】
【００１０】
【図１】本考案の左官ゴテ分解図
【図２】本考案の正面図である。
【符号の説明】Ａ  固定金具
Ｂ  取り付け棒
Ｃ  ボルト・ワッシャー・ナット
Ｄ  突起棒
Ｅ  突起棒
Ｆ  ボルト穴
Ｇ  固定部分
Ｈ  バネ
【図１】
0003154246.tif 000003
【図２】
0003154246.tif 000004
【手続補正書】
【提出日】平成21年7月13日(2009.7.13)
【手続補正１】
【補正対象書類名】実用新案登録請求の範囲
【補正対象項目名】全文
【補正方法】変更
【補正の内容】
【実用新案登録請求の範囲】
【請求項１】
左官ゴテと作業員の持つ長い棒を固定する連結自在金具に関する物で弾力性がありボルト穴を５箇所にすることにより装着部分を強化し重心を自在にすることを可能にした固定金具をボルト・ワッシャー・ナットで左官ゴテの柄の部分に取り付け固定金具の上部にあるコの字型のボルト穴連結部分と作業員が持つ長い棒のボルト穴連結部分をボルト・ワッシャー・ナットで取り付け固定金具の後部と長い棒の連結部分の後部についた突起棒にバネを取り付け固定することにより左官ゴテ全体に長柄の力が伝わるようにした事を特徴とした左官ゴテ連結自在金具。
(57)【要約】      （修正有）【課題】使用しない時は、折畳んで用地面積を少なくできる折畳式家庭用ごみ袋集積箱を提供する。【解決手段】長方形の固定枠の下枠１の一方の長辺から垂直に立ち上がる長方形の固定枠の立枠２その側面に枠補強材１１を組合わせた固定枠１、２、１１と同じ形式の長方形の可動枠の下枠４と可動枠の立枠５枠補強材１１を組合せた可動枠４、５、１１とを上記固定枠の下枠１と可動枠の下枠４の長枠材が丁番７によって接続されており可動枠４、５、１１を９０度折畳む事ができる底面側面には町並みの美観にも考慮した防鳥防獣部材８を使用可動枠の立枠５には折畳んだ時に人が座れる腰掛け部材６を固定する上面防鳥には柔軟繊維による防鳥網９で箱全体を覆うことにより、折畳式家庭用ごみ袋集積箱を構成する。【選択図】図１
0003154243.tif 000002
【実用新案登録請求の範囲】
【請求項１】
家庭用ごみ集積場に、折畳式家庭用ごみ袋集積箱を設置する。回収車がゴミ袋を搬出して空箱となった時箱が占めていた用地面積を箱を折り畳んで少なくして道巾を広くする折畳式家庭用ごみ袋集積箱である。
【請求項２】
集積した家庭ごみ袋が鳥類、小獣類による被害を防ぐ処置として材質は問わないが細目の網又は薄板等を枠に固定する。また矛軟繊維の網を被害防止の目的で集積物全体を被う広さに使用する。その一方を固定して他方は利用者が自由に開閉できるようにフリーにしておく防護処置。
【請求項３】
折畳んだ集積箱の上になる一面に大人が腰を掛けて耐えられる強度の部材を固定する。高さは大人が座り良い高さに設置しておく。ごみ袋を集積しない日は公園のベンチの様に床几として利用できる事を目的とする。
【考案の詳細な説明】
【技術分野】
【０００１】  折畳式家庭用ごみ袋集積箱は空箱中は折畳んで用地面積を少なくする。折畳んだ箱が腰掛けの構造となりご近所の憩いの床几に利用できる。
【背景技術】
【０００２】  行政の市町村は家庭用ごみ袋の回収を指定業者に委託している。住民はご近所１０〜２０戸が集積場所を決め回収車を待つ。歩道で道路が狭い所でも現集積箱はそのままの形で立っている。野積した所はごみ袋を防鳥網で覆っているが野積された袋も回収後の防鳥網も乱雑になっている所が多い。
【考案の開示】
【考案が解決しようとする課題】
【０００３】  現収集箱は狭い歩道でごみ袋が回収されて空箱になってもそのままの大きさで歩道に立っている。実際には空箱期間が長いのだから少しでも歩道を広く使いたい。現野積集積場も整理されているところもあるが、ごみ袋集積中も回収後の防鳥網も整理されていない所が多い。
【課題を解決するための手段】
【０００４】  折畳んである集積箱にごみ袋に入れる時、最初の人が可動枠を開いて倒すと。広い平箱となる。中に入っている防鳥網の一辺を高枠の上部に固定、他の三辺のどこかの網を持ち上げて袋を箱の中に入れればよい。ごみ袋の回収が終われば図１。車道側の固定枠に歩道側の可動枠の４を持ち上げて、丁番を利用して９０度折畳む。折畳む前に防鳥網などを中に入れておくと密閉できる。折畳んだ箱の上面には大人が腰掛けて耐えられる部材が取り付けてある。高さは公園のベンチの高さにする。歩道は折畳んだ可動枠の幅だけ広くなる。道路の外側に設置する集積箱は図３。外側が固定枠手前車道側が可動枠となる。
【考案の効果】
【０００５】  野積地区の人々は箱を置くと毎日通る道路が狭くなるから箱が置けなかった。折畳式家庭用ごみ袋集積箱は必要な時に広げると平箱となる。持ち込むごみ袋は箱の中に積むから乱雑な積み方にはならない。町内の美化に貢献する。折畳んだ箱は床几となり近所の人々の集いの場所となる。実質長い空箱期間を折畳んでおくと道路は広く使える。
【考案を実施するための最良の形態】
【０００６】  集積所はごみ袋の回収作業が容易な場所、地区の利用者の持ち込みの利便と交通安全を考慮する。長い集積未使用時間を折畳んで道幅を充分確保する。折畳めば床几となる。例えばバス停の近くになればバス待ちの人々などが腰を下ろし憩いの場所となる。
【図面の簡単な説明】
【０００７】
【図１】  折畳式家庭用ゴミ袋集積箱、車道側設置式の折畳んだ状態の側面図
【図２】  車道側集積箱の集積可能状態の側面図
【図３】  折畳式家庭ゴミ袋集積箱、道路外側設置式の折畳んだ状態の斜視図
【図４】  道路外側に設置した折畳式家庭用ゴミ袋集積箱の集積可能状態の側面図
【符号の説明】
【０００８】    １  固定枠の下枠
２  固定枠の立枠
３  固定枠の固定用足
４  可動枠の下枠
５  可動枠の立枠
６  腰掛け部材
７  丁番
８  防鳥・防獣部材
９  防鳥網
１０  防鳥網固定金具
１１  枠補強材
１２  可動枠足
【図１】
0003154243.tif 000003
【図２】
0003154243.tif 000004
【図３】
0003154243.tif 000005
【図４】
0003154243.tif 000006
【手続補正書】
【提出日】平成21年7月13日(2009.7.13)
【手続補正１】
【補正対象書類名】実用新案登録請求の範囲
【補正対象項目名】全文
【補正方法】変更
【補正の内容】
【実用新案登録請求の範囲】
【請求項１】
長方形の固定枠の下枠（１）の一方の長辺から垂直に立ち上がる長方形の固定枠の立枠（２）その側面に枠補強材（１１）を組合わせた固定枠（１、２、１１）と同じ形式の長方形の可動枠の下枠（４）と可動枠の立枠（５）枠補強材（１１）を組合せた可動枠（４、５、１１）とを上記固定枠の下枠（１）と可動枠の下枠（４）の長枠材が丁番（７）によって接続されており可動枠（４、５、１１）を９０度折畳む事ができる底面側面には町並みの美観にも考慮した防鳥防獣部材（８）を使用可動枠の立枠（５）には折畳んだ時に人が座れる腰掛け部材（６）を固定する上面防鳥には柔軟繊維による防鳥網（９）で箱全体を覆う折畳式家庭用ごみ袋集積箱